(57)【要約】 【課題】  本発明は、咬合具を有する袋体の咬合具の咬合を簡単かつ確実に行うことのできる封鎖具の提供を課題とするものであり、封鎖具を横方向に移動することにより咬合具の凹部と凸部とを開口部に沿って順次噛み合わせて嵌合する封鎖具の提供を課題とする。【解決手段】  咬合具を有する袋体の咬合具を封鎖するための封鎖具であり、握り部から同方向に突出して形成した上部押え部と下部押え部とを有し、上部押え部と下部押え部のそれぞれの長さが、少なくとも袋体の一の端部から咬合具の長さよりも長く、上部押え部と下部押え部との隙間の一部は、少なくとも袋体の咬合具が噛み合わずに凹部と凸部が接した状態の幅よりも狭い封鎖具である。【選択図】    図１
2014079321.tif 000002
【特許請求の範囲】
【請求項１】
咬合具を有する袋体の咬合具を封鎖するための封鎖具であって、
少なくとも上部押え部１と下部押え部２と握り部３とを有し、
握り部３から同方向に突出して形成した上部押え部1と下部押え部２であり、
上部押え部１と下部押え部２のそれぞれの長さが、少なくとも袋体の一の端部から咬合具の長さよりも長く構成し、
上部押え部１と下部押え部２との隙間の一部は、少なくとも袋体の咬合具が噛み合わずに該咬合具の凹部と凸部が接した状態の幅よりも狭いものであることを特徴とする封鎖具。
【請求項２】
下部押え部２との対向面に位置する上部押え部１に突起部４を有し、該突起部４の位置で袋体の咬合具が噛み合わずに該咬合具の凹部と凸部が接した状態の幅よりも狭くなることを特徴とする請求項１記載の封鎖具。
【請求項３】
上部押え部１との対向面に位置する下部押え部２に突起部４を有し、該突起部４の位置で袋体の咬合具が噛み合わずに該咬合具の凹部と凸部が接した状態の幅よりも狭くなることを特徴とする請求項１記載の封鎖具。
【請求項４】
上部押え部１と下部押え部２との対向面に位置する上部押え部１と下部押え部２にそれぞれ突起部４を有し、該突起部４の位置で袋体の咬合具が噛み合わずに該咬合具の凹部と凸部が接した状態の幅よりも狭くなることを特徴とする請求項１記載の封鎖具。
【請求項５】
上部押え部１又は下部押え部２のいずれかに突起部４を有し、該突起を有さない押え部にはその対応位置に凹み部７を有し、該突起部４と凹み部７の間の間隔は袋体の咬合具が噛み合わずに該咬合具の凹部と凸部が接した状態の幅よりも狭くなることを特徴とする請求項１記載の封鎖具。
【請求項６】
突起部が鉤状の突起部４からなることを特徴とする請求項１乃至５のいずれかに記載の封鎖具。
【請求項７】
突起部４が鉤状の突起部であって略三角形状の返し部分には握り部方向に面６を有することを特徴とする請求項６に記載の封鎖具。
【請求項８】
上部押え部１と下部押え部２のそれぞれの長さが同一であることを特徴とする請求項１乃至７のいずれかに記載の封鎖具。
【請求項９】
上部押え部１と下部押え部２のそれぞれの長さが異なる長さを有することを特徴とする請求項１乃至７のいずれかに記載の封鎖具。
【請求項１０】
上部押え部１と下部押え部２のそれぞれの幅が異なることを特徴とする請求項１乃至９のいずれかに記載の封鎖具。
【請求項１１】
上部押え部１と下部押え部２の先端部はそれぞれ傾斜面を有することを特徴とする請求項１乃至１０のいずれかに記載の封鎖具。
【発明の詳細な説明】
【技術分野】
【０００１】
本発明は、袋体の開封を制御する咬合具を封鎖するための封鎖具に関する。
【背景技術】
【０００２】
一般的に野菜類の販売に際して袋詰めにより販売するが、予め野菜等を出荷する段階で袋体内に詰めて出荷することが多用されている。
この場合従来は袋体内に収納した野菜を袋内に封入するために例えばホッチキス等で封鎖するものであった。
しかし、ホッチキスの針は金属製よりなり、ごみの分別に際してこれを取り除いて処分することが必要となるばかりでなく、ホッチキスの針などで指先に傷をつける等の恐れもあり、ホッチキスの針に代わる封鎖袋が求められてきた。
【０００３】
これに適切に対処する袋としては樹脂製袋の開口部近傍に開口に沿って内側の一面に一例の凸部を有し、これに対応する対向面に該突出部を着脱自在に嵌合する凹部とを有するいわゆる咬合具にあり開閉自在に封鎖する袋体が多用されている。
この場合予め該咬合具を開扉して開いた袋体内に野菜類を封入したうえで、開口周縁に沿って手で凸部を凹部内に押し込んで封鎖する方法が採用されている。
即ち開口周縁に沿って指がつまんで移動することにより凹部がまんべんなく凸部内に嵌合してきっちりと封鎖できるものとなる。
【０００４】
しかし、該袋内に封入すべき野菜類は極めて大量にあり、一つずつ手で封鎖することは極めて煩雑であるばかりでなく手の痛みの発生や手の力が低下することに伴う嵌合不足即ち一部きっちりと嵌合せずに開いたままとなることも起こりうるものとなる。
更に最も大きな問題として、手での封鎖に際しては一つの封鎖に時間がかかってしまうことである。
特にきっちりとした封鎖を望む場合にはきっちりと嵌合するようにしっかりとつまんだ状態で周縁部をなぞるものであり、どうしてもこの動作を繰り返してしまうものとなる。
【０００５】
更には嵌合をきっちりと行うためになぞる速度も勢いゆっくりとした動作で行うものとなる。
従って一つの封鎖に際して時間がかかるものとなってしまうものである。
これらのことよりこの咬合具を用いた袋体の咬合具の封鎖をより簡単かつ確実に行えると共に指への負担もなく、短時間に大量に封鎖できる何らかの封鎖具の提供が望まれていた。
更に該咬合具を用いた袋体は各種いろいろな場面や袋体において多用されており、前記の通りその封鎖に際しては手でつまんで咬合具を噛み合わせた上で開口周縁に沿って開口部全体の咬合具を封鎖することが必要であり、大量の袋体の封鎖になじまない性質のものであった。
【０００６】
該咬合具を有する袋体としては例えば本願発明者と同一発明者に係る特開平９−３０９５４６（特許文献１）がある。
更に各種の袋体に用いた例として特開２００５−８２１６４(特許文献２）、特開２００７−１３００４３(特許文献３）、特開２００９−２２７３１９（特許文献４）、特開２００９−５７３６(特許文献５）、特開２００７−２４６１４０（特許文献６）等が存在する。
【先行技術文献】
【特許文献】
【０００７】
【特許文献１】特開平９−３０９５４６
【特許文献２】特開２００５−８２１６４
【特許文献３】特開２００７−１３００４３
【特許文献４】特開２００９−２２７３１９
【特許文献５】特開２００９−５７３６
【特許文献６】特開２００７−２４６１４０
【発明の概要】
【発明が解決しようとする課題】
【０００８】
以上の様に、咬合具を有する袋体即ち袋体内面にそれぞれ開口周縁に沿って一連の凹部と凸部とをそれぞれ嵌合することにより閉鎖を行い、更に閉鎖後に開封する場合には該凹部を凸部から外すことにより開閉自在にできる咬合具付き袋体は多用されている。
この場合該咬合具を有する袋体の封鎖に際しては一般的に手で咬合具を挟み込んで咬合具の配設位置である例えば開口部の一の端部から他の端部までずらすことにより咬合具の凹部と凸部とを開口部に沿って全体的には噛み合わせて嵌合することが必要である。
通常１の袋体の咬合具を封鎖する場合には手でしっかりと挟んで、まず端部の一点において凹度と凸部とをきっちりと噛み合わせることが必要となる。
【０００９】
更に該噛み合わせを咬合具に沿って全体的に噛み合わせることが必要であるが、これは手でつまみながらずらすことにより全体を封鎖するものとなる。
しかし、この場合まっすぐ開口部に沿って設けている咬合具にきっちりと沿って手をずらすことがなかなか難しく、ややずれた方向等にずらしてしまうことが多い。
このような場合には咬合具をしっかりと外部から押さえることができなくなり上下方向にずれた位置を手で押さえて横方向に移動させてしまう場合もある。
このような場合には咬合具をしっかり噛み合わせる手の挟み込みの力が働かず、噛み合わない場所を有することとなり、一部開いた状体の咬合具が生じてしまうこととなる。
【００１０】
従ってこれでは封鎖ができず、袋体に外部から力が掛かったような場合には噛み合っていた咬合具の位置も徐々に開いてしまうものである。
更に、仮に大量の咬合具付き袋体内に内容物を詰めて、咬合具を閉じる場合等において手で一つずつ閉じることが必要となる場合には、咬合具をはさむための指先の力を十字入れておかねばならず非常に労力を必要とすることとなるものであり、極めて重労働となる。
特に封鎖時には手で咬合具全体を押さえつつ移動させなければならず、前記した通り移動方向がずれてしまい、噛み合わない場所が生じることが多く、更には指先の力が弱くなる場合等においても同様に噛み合わない場所を有する袋体となってしまう。
【００１１】
これではせっかくの咬合具付きの袋体の適切に使用されるものではなくなってしまい、封鎖不備の袋体となりかねないものである。
そこで、極めて簡単かつ確実に咬合具を噛み合わせることにより袋体の封鎖を行える封鎖具が望まれることとなる。
特に握り部を有することによって手持ち具として用いることのできる袋体の提供が望まれる。
【課題を解決するための手段】
【００１２】
以上の課題を解決するために、まず請求項１に係る発明は、咬合具を有する袋体の咬合具を封鎖するための封鎖具であって、少なくとも上部押え部と下部押え部と握り部とを有し、握り部から同方向に突出して形成した上部押え部と下部押え部であり、上部押え部と下部押え部のそれぞれの長さが、少なくとも袋体の一の端部から咬合具の長さよりも長く構成し、上部押え部と下部押え部との隙間の一部は、少なくとも袋体の咬合具が噛み合わずに凹部と凸部が接した状態の幅よりも狭い封鎖具からなる。
この様に構成することにより、前記課題を解決できる。
【００１３】
次に、請求項２に係る発明は、下部押え部との対向面に位置する上部押え部に突起部を有し、該突起部の位置で袋体の咬合具が噛み合わずに凹部と凸部が接した状態の幅よりも狭くなる封鎖具からなり、係る発明を用いてもよい。
更に、請求項３に係る発明は上部押え部との対向面に位置する下部押え部に突起部を有し、該突起部の位置で袋体の咬合具が噛み合わずに凹部と凸部が接した状態の幅よりも狭くなる封鎖具であって、この様に構成してもよい。
【００１４】
或いは請求項４に係る発明のように上部押え部と下部押え部との対向面に位置する上部押え部と下部押え部にそれぞれ突起部を有し、該突起部の位置で袋体の咬合具が噛み合わずに凹部と凸部が接した状態の幅よりも狭くなる封鎖具でもよい。
これらの他、請求項５に係る発明のように上部押え部又は下部押え部のいずれかに突起部を有し、該突起を有さない押さえ部にはその対応位置に凹みを有し、該突起部と凹みの間の間隔は袋体の咬合具が噛み合わずに凹部と凸部が接した状態の幅よりも狭くなる封鎖具であってもよい。
【００１５】
これらの場合、請求項６に係る発明のように突起部が鉤状の突起部からなる封鎖具でも、或いは請求項７に係る発明のように突起部が鉤状の突起部が三角形状の返し部分を有する封鎖具を用いてもよい。
更に、請求項８に係る発明のように上部押え部と下部押え部のそれぞれの長さが同一であるものでも、請求項９に係る発明のように上部押え部と下部押え部のそれぞれの長さが異なる長さを有するものであってもよい。
【００１６】
又、請求項１０に係る発明のように上部押え部と下部押え部のそれぞれの幅が異なる封鎖具でもよい。
更に請求項１１に係る発明のように上部押え部と下部押え部の先端部がそれぞれ傾斜面を有する封鎖具を用いてもよい。
【発明の効果】
【００１７】
以上のように構成したことから  上部押え部と下部押え部を用いて袋体の咬合具の噛み合わせである凹部と凸部とを封鎖することのできる封鎖具の提供を可能とする。
特に請求項1に係る発明により上部押え部と下部押え部との隙間の一部は、少なくとも袋体の咬合具が噛み合わずに凹部と凸部が接した状態の幅よりも狭く構成することにより前記凹部と凸部との噛み合わせをきっちりと確実に行うことができる。
又握り部によりきっちりと封鎖具を手持ち可能とし、手持ちによって使用できるものである。
【００１８】
尚、握り部より突出形成した上部押え部と下部押え部により構成するものであり、手持ち時に両者を握ると両者間の間隔を任意に狭めることも可能となる。
従って、封鎖具として任意の間隔を形作ることができ、使用勝手の良い、又確実なる袋体の咬合具の咬合を可能とする封鎖具の提供を可能とする。
又、上部押え部と下部押え部によって挟まれた状態とすることによりその一で袋体の咬合具を封鎖できると共に更に本封鎖具を咬合具に沿って移動することによりその移動範囲において咬合具を全て封鎖できるものである。
従って、袋体の咬合具を簡単かつ確実に封鎖することのできるものとなる。
【００１９】
更に請求項２に係る発明により、下部押え部との対向面に位置する上部押え部に突起部を有し、該突起部の位置で袋体の咬合具が噛み合わずに凹部と凸部が接した状態の幅よりも狭くなるものであり、噛み合っていない咬合具である凹部と凸部との間隔よりも上部押え部と下部押え部との間隔を狭く構成することにより、この隙間を袋体の咬合具を挟み込んで通すことにより前記咬合具が噛み合ってきっちりと咬合できるものとなる。
特に突起部を有することにより、この突起部で袋体をきっちりと挟み込むことができる。
尚、挟むときに該突起により袋体の咬合具を噛み合わせることができ、更に封鎖具を開口部に平行に移動すれば、咬合具を移動に伴って順次噛み合わせることができるものとなる。
従って袋体の咬合具の封鎖を可能とする。
【００２０】
次に請求項３に係る発明によれば、上部押え部との対向面に位置する下部押え部に突起部を有するものであり、該部分で袋体をきっちり保持できるものである。
更に該突起部の位置で袋体の咬合具が噛み合わずに凹部と凸部が接した状態の幅よりも狭くなるものであり、該部分を袋体の咬合具が通過する際に前記と同様きっちりと噛み合わせることができるものであり、咬合具の一部に噛み合い部分を形成することにより、袋体の咬合具を上部押え部と下部押え部とで挟んで移動することにより咬合具全体を噛み合わせることができるものであり、袋体の咬合具全体の咬合を可能とするものである。
従って、この様に構成しても前記と同様に挟むときに該突起により袋体の咬合具を噛み合わせることができ、更に封鎖具を開口部に平行に移動すれば、咬合具を移動に伴って順次噛み合わせることができるものとなり、袋体の咬合具の封鎖を可能とする。
【００２１】
次に、請求項４に係る発明により、上部押え部と下部押え部との対向面にある上部押え部と下部押え部のそれぞれの突起部により、袋体を挿入時に袋体の咬合具を上部押え部と下部押え部とで挟むものとなる。
即ち挟むときに該突起により袋体の咬合具を噛み合わせることができ、更に封鎖具を開口部に平行に移動すれば、咬合具を移動に伴って順次噛み合わせることができるものとなる。
従って袋体の咬合具の封鎖を可能とする。
上部押え部と下部押え部との対向面にある上部押え部と下部押え部のそれぞれの突起部により確実に咬合具を噛み合わせることができる。
【００２２】
更に請求項５に係る発明により、突起部と凹みによって前記と同様に袋体の咬合具を噛み合わせることができ、更に封鎖具を開口部に平行に移動すれば、咬合具を移動に伴って順次噛み合わせることができるものとなる。
又、突起部と凹み部によって間隔の狭まり又は屈曲部分を構成することができるものとなり、咬合具分の紙合わせの確実化や容易化が図れるものである。
又、請求項６に係る発明により、突起部が鉤状の突起部となり、該欠き状の突起部の他の押え具との隙間によって袋体を挟み込んだ際に咬合具を噛み合わせることができると共に更に該鉤状の形状によって袋体の咬合具部分を引っ掛かるように形成するものとなって、袋体を挟み込んだ状態で定位置に位置させることができる。
更には封鎖具の移動に際しても袋体が該突起部から不用意に外れてしまうことを防止できるものである。
【００２３】
次に請求項７に係る発明のように突起部が鉤状の突起部が三角形状の返し部分を有するものとなって挟み込んだ袋体をより確実に押さえることができることとなり封鎖作業中の不用意なはずれや位置ずれ等を防止でき、簡単な封鎖作業を可能とする。
次に、請求項８に係る発明により、上部押え部と下部押え部のそれぞれの長さが同一となり、使い勝手の良い封鎖具の提供を可能とすると共に、請求項９に係る発明により逆に上部押え部と下部押え部とを異なる長さとすることができ、任意の長さに押え部を構成することができることとなって、それぞれに応じた各種の形態の押え部を有する封鎖具の提供を可能とする。
【００２４】
この他、請求項１０に係る発明のように上部押え部と下部押え部のそれぞれの幅が異なる封鎖具を用いるものでもよい。
これにより任意の幅を有する押え部を用いることができ、一方を幅太に構成して袋体の差し込みや定位置確保の便宜等が図れ、使い勝手の良い封鎖具の提供を可能とする。
更に、請求項１１に係る発明により、上部押え部と下部押え部の先端部にそれぞれ傾斜面を有するものとなり、袋体の差し込みの容易化が図れる。
【図面の簡単な説明】
【００２５】
【図１】本発明に係る封鎖具の基本的な一実施の状態を示す図
【図２】咬合具を有す袋体の咬合の状態を示す図
【図３】本発明に係る封鎖具の上部押さえ具と下部押え具の一例を示す図
【図４】本発明に係る封鎖具の使用状態の一例を示す図
【図５】本発明に係る封鎖具の使用状態の一例を示す図
【図６】本発明に係る封鎖具の他の一例を示す図
【図７】本発明に係る封鎖具の他の一例を示す図
【図８】本発明に係る封鎖具の他の一例を示す図
【図９】本発明に係る封鎖具の他の一例を示す図
【図１０】本発明に係る封鎖具の他の一例を示す図
【図１１】本発明に係る封鎖具の他の一例を示す図
【図１２】本発明に係る封鎖具の他の一例を示す図
【図１３】本発明に係る封鎖具の他の一例を示す図
【図１４】本発明に係る封鎖具の他の一例を示す図
【図１５】本発明に係る封鎖具の他の一例を示す図
【図１６】図１５に示す本発明に係る封鎖具の一例の側面を示す図
【図１７】本発明に係る封鎖具の他の一例を示す図
【図１８】本発明に係る封鎖具の他の一例を示す図
【発明を実施するための形態】
【００２６】
図１は、本発明に係る封鎖具の基本的な一例を示す図であり、少なくとも表裏二枚からなる袋体を挟むべき上部押え部１と下部押え部２と、更に手に把持するための握り部３からなる封鎖具からなる。
この上部押え部１と下部押え部２とは少なくとも袋体の表裏シートがはさみこめる程度の間隔を有するものであり、表裏シートの間に設けた袋体の咬合具を挟みこんで凸部を凹部に嵌合させたのち該上部押え部１と下部押え部２とを表裏シートを挟んだまま袋体の開口部に沿って移動させて、袋体の開口部に設けた咬合具の凸部を凹部に嵌合させて開口部全体を閉じることのできるものとなる。
【００２７】
尚、本図においては上部押え部１の下部押え部２方向の下面部分には鉤状の突起部４を有し、下部押え部２の上部押え部１方向の傾斜面５に接しており、袋体の咬合具の凸部と凹部をこの鉤状の突起部４により引っ掛かるものとなる。
この場合上部押え部１の鉤状の突起部４の返し部分は上部押え部１と下部押え部２とが両者の間隔を狭く併設した一方向に有すると共に、鉤状突起部４の先端が上部押え部１の先端部分に位置するものとなり、鉤状の突起部４の先端からは袋体を挟み込みやすい反面一旦鉤状の突起部４の略三角形状の返し部分より挿入した袋体は逆に返し部分の面６によって該鉤状の突起部４から外れにくくなる。
【００２８】
又、この返し部分は略三角形状の突起部からなる返しを有し、握り方向に面６を構成した一例を示しており、この返し部分によって袋体に対して垂直方向に構成される面６が構成されている一例を示している。
従ってきっちりと袋体の咬合具の前記凸部と凹部の位置を上部押え部１と下部押え部２との間に挟み込む位置に定置させることができるものとなる。
もとよりこの突起部４の形状は一例であり、その他の任意の形態であってもよい。
従って返しの有無・形状も任意の形状などであってもよい。
【００２９】
例えばより鋭角の返しを有する鉤状の突起部や或いは返し部分がよりなだらかな鉤状の突起部を用いてもよい。
或いはこの様な鉤状の返しを有する突起部ではなく一般的な突起部分を有する突起部を有するものであってももちろんよい。
少なくとも上部押え部１と下部押え部２との間隔の間に袋体の咬合具の前記凸部と凹部を挟み込んで、該位置に袋体を定置できるものであればよい。
ここで定置とは少なくとも所望の位置に袋体を位置させることの可能なものであればよく、不動状態を意味するものではなく、該袋体の凹凸部分を上部押え部１と下部押え部２との間に挟み込む位置に位置させることができるものであればよいものである。
【００３０】
挟み込んだ状態で該封鎖具を袋体の凹凸部分の着部に沿って移動でき、該チャックを封鎖できるものであればよい。
尚、更に例えばチャックを挟みこんだ状態での袋体の厚み程度有するものであればことさらこの突起部がないものであってもよい。
従って咬合具を有する袋体の咬合具を封鎖するための封鎖具であり、少なくとも上部押え部１と下部押え部２と握り部３とを有しているものであればよい。
更に該上部押え部１と下部押え部２とは握り部３から同方向に突出して形成しているものであり、上部押え部１と下部押え部２のそれぞれの長さが、少なくとも袋体の一の端部から咬合具の長さよりも長く構成していることが必要である。
【００３１】
これにより、上部押え部１と下部押え部２の隙間に袋体を挟み込んだ場合、袋体の咬合具が隙間に挟み込まれるものとなる。
更に上部押え部１と下部押え部２との隙間の一部は少なくとも袋体の咬合具が噛み合わずに凹部と凸部が接した状態の幅よりも狭いものであることにより隙間に入れることにより、この間隔の狭さにより、咬合具の凹部と凸部とが嵌合することができ、咬合具を噛み合わせることが可能となる。
【００３２】
図２は、袋体の咬合具であるチャック部の一例を示す図であり、Ａは、咬合具１１が噛み合っておらず袋体が開いた状態の一例を示す図であり、Ｂは咬合具１１が噛み合い袋体の閉じた一例を示す図である。
この様に袋体を開閉自在に封鎖する構造としては、本図に示す咬合具１１であるチャック部を有する袋体は多用されている。
例えば樹脂製のシート地からなり、表裏面のそれぞれの内面であって対向位置にそれぞれ帯状の凸部１１０と帯状の凹部１１１とを有し、この凸部１１０を凹部１１１に嵌合することによって密封状態で袋体を封鎖できるものであり、この凸部１１０と凹部１１１との嵌合を解くことにより密封状態の袋体を開くことができるものとなる。
【００３３】
従って、野菜等の食品類について鮮度をもたせたまま、或いは汚染等を防止するためにきっちりと密封して販売することは多用されており、その際のこのような嵌合具付きの袋体は多用されているものである。
このような袋体は簡単にきっちりと閉じることができることから多用されるが、反面両端方向に隙間を残してしまう場合や、特に多いのが、力の入れ加減によって咬合具の一部に隙間を有してしまいところどころ噛み合っていない部分を残してしまうこと等がある。
更に大量の袋体に袋詰めするような場合には嵌合具によりしっかりと噛み合わせて封鎖するには長時間きっちりと嵌合具を押さえ続けることが必要であり、大変な労力やコツ或いはチェック等を必要とするものであった。
【００３４】
次に図３は、本発明に係る封鎖具の基本的な一例の上部押え部１と下部押え部２を示す図であるＡと、その一部拡大図を示す図であるＢからなる図であり、上部押え部１と下部押え部２とは少なくとも袋体の表裏シートがはさみこめる程度の間隔を有して構成されている。
更に本図では下部押え部２が上部押え部１よりも長いものであり、下部押え部２の方が先端方向に突出して構成されている。
この場合下部押え部２も上部押え部１も共にその先端部分は両押え部により構成される隙間方向は傾斜面により構成されている。
【００３５】
これにより間に挟み込む袋体のシート地をスムーズに該隙間に挟み込むことができるものとなる。
もとよりこの様な傾斜面を有していないものであってももちろんよい。
更に上部押え部１の該上部押え部１と下部押え部２のそれぞれ対向面であってその先端方向には鉤状の突起部４を有している。
本図構成においては下部押え部２がより先端方向に突出して構成しており上部押え部１の突起部４は下部押え部２の先端方向の傾斜面位置方向に向かって配置されている。
【００３６】
この上部押え部１の鉤状の突起部４により、該隙間に袋体のシート地を挿入すると、該袋体のチャック部である咬合具の凹凸部分が引っ掛かりやすくなるものであり、この引っ掛かりにより袋体の対応部分がきっちりと挟みこまれることにより表裏シートを上下方向からきっちりと押さえることができ、例えばこの挟み込み行為によって咬合具の内面に設けた凹部と凸部とがまず最初に噛み合わさり、最初の一か所の咬合がしっかりとできる。
更にこの様にしてまずきっちりと一か所咬合させることにより、次に該咬合具に沿って間隔の狭い上部押え部１と下部押え部２の隙間で咬合具に沿って移動させると咬合具の凹部と凸部がその移動に沿って順次簡単にかつきっちりと咬合させることができるものとなり、袋体の咬合具の封鎖を行えるものである。
【００３７】
図４は、咬合具を有する袋体に対して本発明に係る封鎖具を用いて封鎖する手順の一例を示す図である。
本図のように袋体の咬合具１１の一端方向に本発明に係る封鎖具の上部押え部１と下部押え部２の隙間を位置させた上で、該袋体の表裏のシート地を該隙間に差し込む。
これにより鉤状の突起部４により上部押え部１と下部押え部２の間隔が狭い位置を通過することにより、まずこの部分で袋体の咬合具１１がしっかりと噛み合わされることとなる。
更にこの状態で封鎖具を咬合具１１に平行方向に移動させることにより順次咬合具１１が噛み合わされて袋体の封鎖を完了する。
【００３８】
これは、鉤状の突起部４により袋体を定位置即ち上部押え部１と下部押え部２との間に挟み込んだ位置に置くことができるものであり、更にこの状態から封鎖具を移動させることにより順次上部押え部１と下部押え部２の隙間をチャック部分が移動することとなり、順次着を封鎖できるものとなる。
尚、必要に応じて該封鎖具を咬合具に沿って左右方向にゆすることによっても確実な封鎖を可能とする。
この間隔は少なくとも、袋体の咬合具１１が噛み合わない状態での凹部１１１と凸部１１０が接した状態の幅よりも狭いものであればよい。
【００３９】
尚、この突起により封鎖具の咬合具の配置状態と平行に封鎖具を移動する際も、咬合具を不用意に上下押え部間から外れないように押さえることができる。
即ち咬合具１１の位置で突起部とぶつかることから、これ以上シート地が隙間から出ることを防げる。
尚、シート地を隙間に差し込むとの表現にて説明したが、これは逆に上部押え部１と下部押え部２の隙間部に結果的にシート地が差し込まれるものであることをも同時に意味するものであり、どちらを差し込むように操作するものであってもちろんよい。
【００４０】
図５は、本発明に係る封鎖具による咬合具の咬合状態の一例を示す図である。
図５Ａに示すように、まずシート地を上部押え部１と下部押え部２の隙間に位置させる。
更にこのまま上部押え部１と下部押え部２を移動させてシート地を挟み込むと、該鉤状の突起部４によりシート地の凹凸部分が噛み合うこととなる。
即ち図５Ｂに示すようにこの上部押え部１の鉤状の突起部４を通過するものとなり、上部押え部１と下部押え部２の隙間が狭くなることに伴って咬合具１１を上下方向からきっちりと挟むことができるものとなり、咬合具１１を封鎖するものである。
【００４１】
従って上部押え部１と下部押え部２間に袋体を差し込んで挟み込むことにより咬合具１１を封鎖できる。
尚、この状態で封鎖具を咬合具１１の配置状態と平行に移動することにより、順次咬合具１１の凹凸部分からなるチャック部分を封鎖することができる。
【００４２】
図６は、本発明に係る封鎖具の上部押え部１と下部押え部２の構成の他の例を示す図である。
上部押え部１ではなく下部押え部２に鉤状の突起部４を有している一例を示す図である。
この様に構成しても同様に袋体の咬合具を噛み合わせることができるものとなる。  
この場合においても袋体の鉤状の突起部４の返し部分は鋭角をもって構成するものでも、或いは鈍角をもって構成するものであってもよい。
【００４３】
図７は、本発明に係る封鎖具の上部押え部１と下部押え部２の他の構成を示す図である。
即ち上部押え部１は前述の通り、鉤状の突起部４を有するが、下部には更に突起部４を有し、噛み合わせの容易化を図ることができると共に挟み込んだシート地を外れにくくすることができる。
本図は上部押え部１には鉤状の突起部４を有し、下部押え部２には半球状の突起部４をそれぞれ有する本発明に係る封鎖具の一例である。
従って、この様に構成するものであってもよい。
【００４４】
更に図８は、この上部押え部１には鈍角状の鉤状の突起部４を有し、下部押え部２には２つの半球状の突起部４を有する一例を示す。
この様に突起部４により上部押え部と下部押え部との間隔を狭め、更に上部押え部１と下部押え部２間にシート地を挟み込めると共に任意位置でチャック部を定置でき、チャック部の咬合を容易にすることのできるものであればよい。
図９は、鉤状の突起部４に関して鈍角即ち傾斜した突起部分からなる突起部４を下部押え部２に設けた一例である。
【００４５】
この様にもはや鉤状として返し部分を有する構成ではなく、突起状に形成した突起部４を用いるものであってもよい。
この様に構成しても上部押え部１と下部押え部２間の隙間を狭く構成すると共に袋体のシート地を差し込んだ場合には該突起部４により上下方向からシート地をより強くかつしっかりと押さえることを可能とする。
【００４６】
図１０は、上部押え部１に突起部分として半球状の突起部４を構成した地の一例を示す。
もとよりこの様に構成しても上部押え部１と下部押え部２間の隙間を狭く構成すると共にシート地を差し込んだ場合には該突起部４により上下方向から袋体のシート地をより強くかつしっかりと押さえることを可能とする。
以上のように上部押え部１や下部押え部２には各種突起部４を有しているが、この位置や数に特定されるものではない。
更にこの突起部の形状や大きさも任意のものであってもよい。
本図構成は半球状の突起部を示すが、突出形状のものであっても、或いは角形状の突起であってもよく、任意形状の突起であればよい。
【００４７】
上部押え部１と下部押え部２により袋体のシート地の咬合具１１を押さえて噛み合わせることのできる程度の隙間を有していればよく、上部押え部１と下部押え部２それ自体の隙間でなく上下或いは一方に設けた突起部４によりその隙間を狭く構成し、該位置を通過することにより咬合具１１をきっちりと噛み合わせることのできるものであればよい。
尚、上部押え部１と下部押え部２の構成に関してもいずれの長さが長く構成したものでもよく、或いは同じ長さのものであってもよい。
更に太さや形状も任意のものであってもよい。
【００４８】
図１１は、本発明に係る他の一例を示す図であり、上部押え部には凹み部７を有し、下部押え部には該凹み部位置に対応した位置に突起部４を有する本発明に係る他の封鎖具の一例を示す図である。
このような突起部４と凹み部７とを有することにより挟み込むシート地を挿入方向から更に凹み部７の凹んだ部分方向に導き、更に凹み部分から出る方向に導くものとなり、いわゆる曲がりくねった方向に進んで、上部押え部１と下部押え部２との両者の狭い空間を曲がって進行することとなり、該隙間を通ることにより袋体の咬合具１１をこの位置でより確実にかつしっかりと噛み合わせて封鎖することができるものである。
【００４９】
尚、上部押え部１や下部押え部２の突起部４や凹み部７を殊更有するものの他、上部押え部１と下部押え部２の形状を曲げて構成することにより同様に突起部４や凹み部７を構成するものであってもよく、これは本明細書上その突起している部分は突起部として考えるものであり、凹んだ部分は凹み部として考えるものであればよい。
【００５０】
図１２は、上部押え部１に突起部４を有し、その突起部４に対応する下部押え部２には凹み部７を有する本発明に係る封鎖具の一例を示す図である。
本図構成においては上部押え部７には鉤状の突起部４を用いた一例である。
図１３に示す構成は本発明の封鎖具の他の一例を示す図であり、上部押え具１と下部押え具２にそれぞれ半球状の突起部４を前後方向にややずらせて配置して構成した本発明に係る封鎖具の他の一例を示す図である。
この様に構成しても両者の突起部４により隙間を狭く構成することができ、袋体の咬合具をこの突起部によってここの通過時にしっかりと噛み合わせて封鎖することができる。
【００５１】
次に図１４は、上下押え部のそれぞれに突起部も凹み部も有さないものであり、上下押え部の間隔がすくなくとも袋体の咬合具がかみ合った程度の幅と同程度の隙間を有するものからなる一例を示す図である。
言い換えれば上部押え部１と下部押え部２との隙間の一部は、少なくとも袋体の咬合具１１が噛み合わずに凹部１１１と凸部１１０が接した状態の幅よりも狭いものであればよい。
このように構成しても該上部押え具１と下部押え２具間に袋体の咬合具部分を挟み込めるものであり、咬合具の封鎖を可能とする。
【００５２】
尚、更に上部押え部１と下部押え部２を殊更平行にするものの他、若干両者を角度をもって配置して先端方向ではやや隙間を広く構成し、握り部３方向の隙間を狭く構成したものであってもよい。
或いは上部押え部１と下部押え部２の対向面をそれぞれ傾斜面で構成し、先端方向ではやや隙間を広く構成し、握り部３方向の隙間を狭く構成した上部押え部１と下部押え部２を有する封鎖具を用いるものであってもよい。
【００５３】
図１５は、本発明に係る封鎖具の他の一例を示す図であり、上部押え部１と下部押え部２がそのそれぞれの先端を膨らんだハート状に膨らんだ豆のような形状の一例を示す図である。
本図は先端の形状を特殊に構成した一例を示す図であり、もとよりこの形状に限定されるものではなく他の任意の形状に構成した上部押え部１と下部押え部２を有するものであってもよい。
本図のように上下押え部は単なる棒状の長手形状のみからなるものではなく本図のように先端部或いは他の部分等を任意形状に構成した上部押え部１と下部押え部２を用いるものであってもよい。
この場合上部押え部１には鉤状の突起部４を２か所有しているものである。
【００５４】
図１６は図１５に示す上部押え部１と下部押え部２の側面図である。
図１７は、上下押え部が異なる形状からなる本発明に係る封鎖具の一例を示す図である。
本図構成のように一方の押え部を細くし、他方の押え部を太く構成するものであってもよい。
本図構成においては上部押え部１と下部押え部２のそれぞれの太さは１対２として一例を示すが、この割合に限定されるものではなく一例として示すものである。
【００５５】
或いはこの他に厚みの異なる上部押え部１と下部押え部２を用いるものであっても同様によいものであり、この様に任意形状の押え部を有するものであっても本発明に係る封鎖具に含まれるものである。
少なくとも上部押え部１と下部押え部２の一部が袋体の咬合具１１が噛み合った厚み程度の隙間或いは咬合具１１が噛み合わずに凹部１１１と凸部１１０が接した状態の幅よりも狭い隙間を有しているものであればよい。
【００５６】
図１８は、本発明の封鎖具の握り部３の他の一例を示す図である。
もとより握り部３は手持ち可能な形状であれば良く、本封鎖具を手持ち使用できる握り部であればよいものであって、例えば単なる直方体或いはこれに近似する形状や筒状等の任意形状の握り部を有していればよく、本図のように幅方向に凹凸を有して手になじみやすい形状よりなるものであってもよい。  
この他、この握り部３は上部押え部と下部押え部とを連接して構成する連設部からなる握り部３であってもよいものである。
【００５７】
例えば上部押え部１と下部押え部２とを弧状形状の屈曲部により連設部分を形成し、この連設部を含む上部押え部と下部押え部とを握ることにより使用することのできるものであってもよく、この場合には連設部及びその連設部近傍は握り部３となるものである。
従って、実質的にこの握っている部分が握り部に該当するものである。
【符号の説明】
【００５８】
１    上部押え部
２    下部押え部
３    握り部
４    突起部
５    傾斜面
６    面
７    凹み部
１１    咬合具
１１０  凸部
１１１  凹部
【図１】
2014079321.tif 000003
【図２】
2014079321.tif 000004
【図３】
2014079321.tif 000005
【図４】
2014079321.tif 000006
【図５】
2014079321.tif 000007
【図６】
2014079321.tif 000008
【図７】
2014079321.tif 000009
【図８】
2014079321.tif 000010
【図９】
2014079321.tif 000011
【図１０】
2014079321.tif 000012
【図１１】
2014079321.tif 000013
【図１２】
2014079321.tif 000014
【図１３】
2014079321.tif 000015
【図１４】
2014079321.tif 000016
【図１５】
2014079321.tif 000017
【図１６】
2014079321.tif 000018
【図１７】
2014079321.tif 000019
【図１８】
2014079321.tif 000020